(57)【要約】【課題】  既存のフローリングに設置したときにも上述した見苦しさ、埃などの溜まりを防止することができる床暖房装置の床構造を提供すること。【解決手段】  床暖房パネル及びダミーパネル４６を組み合わせて構成される床暖房用床組体２４と、複数の仕上げ部材４８を組み合わせて構成される仕上げ床組体２６と、を備えた床暖房装置の床構造。室内壁３３の内側に設けられる幅木３８と床暖房用床組体２４及び仕上げ床組体２６との間に、これらの間の隙間５０を隠すための隙間隠し体５２が配設されている。隙間隠し体５２は、幅木３８と床暖房用床組体２４及び仕上げ床組体２６との間に挿入される挿入取付部材５４と、挿入取付部材５４に取り付けられる幅木部材５６とから構成され、幅木部材５６は隙間５０を隠すためのカバー部６４を有している。【選択図】  図２
2009264075.tif 000002
【特許請求の範囲】
【請求項１】
加熱手段が配設された床暖房パネルと加熱手段が配設されていないダミーパネルとを組み合わせて構成される床暖房用床組体と、複数の仕上げ部材を組み合わせて構成され、前記床暖房用床組体の表面に配設される仕上げ床組体と、を備えた床暖房装置の床構造であって、
室内壁の内側に設けられる幅木と前記床暖房用床組体及び前記仕上げ床組体との間に、これらの間の隙間を隠すための隙間隠し体が配設されていることを特徴とする床暖房装置の床構造。
【請求項２】
前記隙間隠し体は、前記幅木と前記床暖房用床組体及び前記仕上げ床組体との間に挿入される挿入取付部材と、前記挿入取付部材に取り付けられる幅木部材とから構成され、前記幅木部材は前記室内壁から離れる方向に延びるカバー部を有していることを特徴とする請求項１に記載の床暖房装置の床構造。
【請求項３】
前記挿入取付部材は取付凹部を有し、前記幅木部材は前記取付凹部に挿入される幅木本体部を有し、前記カバー部は前記幅木本体部の上端部に一体的に設けられ、前記室内壁から離れる方向に幾分下方に傾斜して延び、前記カバー部の先端部が前記仕上げ床組体の表面に弾性的に圧接されることを特徴とする請求項２に記載の床暖房装置の床構造。
【請求項４】
前記挿入取付部材は、前記幅木部材が取り付けられる挿入取付本体部と、前記挿入取付本体部と一体的に設けられた弾性偏倚部とを有し、前記弾性偏倚部は、前記挿入取付本体部を前記幅木に向けて弾性的に偏倚することを特徴とする請求項２又は３に記載の床暖房装置の床構造。
【発明の詳細な説明】
【技術分野】
【０００１】
本発明は、室内の床面を暖めて暖房する床暖房装置に適用される床構造に関する。
【背景技術】
【０００２】
一般的に、床面を暖めて暖房する床暖房装置は、床暖房パネル及びダミーパネルから構成される床暖房用床組体と、この床暖房床組体の表面に配設される仕上げ床組体とから構成され、床暖房パネルに暖房を行うための加熱手段、例えば温水チューブが配設されている（例えば、特許文献１参照）。この種の床暖房装置は、新築時に設置されることが多いが、既存の住宅の床面に上貼りして設置されることもあり、このような場合、例えば図４に示すように設置される。
【０００３】
図４において、既存の住宅の床構造では、床面となるフローリング２は、複数の根太４を介して大引６に支持固定され、このフローリング２の下側に断熱材８が配設されて断熱されている。また、住宅の室内壁１０とフローリング２との間には、フローリング２の伸縮を許容するための伸縮隙間１２が設けられ、この伸縮隙間１２を隠すように、室内壁１０とフローリング２との角部に幅木１４が配設され、この幅木１４は、室内壁１０の内面及びフローリング２の上面（即ち、床面）に接するように設けられる。
【０００４】
既存の住宅のこのような床構造に床暖房装置を設置する場合、このフローリング２の上面（即ち、既存の床面）の全域に床暖房用床組体１６が配設され、更にこの床暖房用床組体１６の上面に仕上げ床組体１８が設けられる。床暖房装置の仕上げ床組体１８は、フローリングなどの木質建材が使用されることが多く、このように木質建材を使用した場合、仕上げ床組体１８は、床暖房使用時などにおいては加熱乾燥することにより収縮し、また梅雨時期などにおいては湿気を吸収することにより延び、このようなことから床暖房装置の仕上げ床組体の上述した伸縮を許容するために、この仕上げ床組体は、既存の幅木との間に幾分の隙間が存在するように設けられる。
【０００５】
【特許文献１】特開２００３−２０６６２４
【発明の開示】
【発明が解決しようとする課題】
【０００６】
しかしながら、従来の床暖房装置の床構造では、仕上げ床組体と既存の幅木との間に存在する隙間は、床暖房使用時などにおいて加熱乾燥することにより大きくなり、この隙間が大きくなると見苦しくなる問題がある。また、この隙間が大きくなると、埃などが入りて溜まりやすく、溜まった埃などが取り出し難く、室内を清潔に保つことが難くなる問題がある。
【０００７】
本発明の目的は、既存のフローリングに設置したときにも上述した見苦しさ、埃などの溜まりを防止することができる床暖房装置の床構造を提供することである。
【課題を解決するための手段】
【０００８】
本発明の請求項１に記載の床暖房装置の床構造は、加熱手段が配設された床暖房パネルと加熱手段が配設されていないダミーパネルとを組み合わせて構成される床暖房用床組体と、複数の仕上げ部材を組み合わせて構成され、前記床暖房用床組体の表面に配設される仕上げ床組体と、を備えた床暖房装置の床構造であって、
室内壁の内側に設けられる幅木と前記床暖房用床組体及び前記仕上げ床組体との間に、これらの間の隙間を隠すための隙間隠し体が配設されていることを特徴とする。
【０００９】
また、本発明の請求項２に記載の床暖房装置の床構造では、前記隙間隠し体は、前記幅木と前記床暖房用床組体及び前記仕上げ床組体との間に挿入される挿入取付部材と、前記挿入取付部材に取り付けられる幅木部材とから構成され、前記幅木部材は前記室内壁から離れる方向に延びるカバー部を有していることを特徴とする。
【００１０】
また、本発明の請求項３に記載の床暖房装置の床構造では、前記挿入取付部材は取付凹部を有し、前記幅木部材は前記取付凹部に挿入される幅木本体部を有し、前記カバー部は前記幅木本体部の上端部に一体的に設けられ、前記室内壁から離れる方向に幾分下方に傾斜して延び、前記カバー部の先端部が前記仕上げ床組体の表面に弾性的に圧接されることを特徴とする。
【００１１】
更に、本発明の請求項４に記載の床暖房装置の床構造では、前記挿入取付部材は、前記幅木部材が取り付けられる挿入取付本体部と、前記挿入取付本体部と一体的に設けられた弾性偏倚部とを有し、前記弾性偏倚部は、前記挿入取付本体部を前記幅木に向けて弾性的に偏倚することを特徴とする。
【発明の効果】
【００１２】
本発明の請求項１に記載の床暖房装置の床構造によれば、室内壁の内側に設けられる幅木と床暖房用床組体及び仕上げ床組体との間に隙間隠し体が配設されているので、この隙間隠し体によって、幅木と床暖房用床組体及び仕上げ床組体との間の隙間が覆われ、かかる隙間の見苦しさ、埃などの溜まりを防止することができる。
【００１３】
また、本発明の請求項２に記載の床暖房装置の床構造によれば、隙間隠し体は挿入取付部材及び幅木部材とから構成され、幅木部材は室内壁から離れる方向に延びるカバー部を有しているので、幅木部材を挿入取付部材に取り付けると、カバー部が幅木と床暖房用床組体及び仕上げ床組体との間の隙間を覆い、かかるカバー部によって、隙間の見苦しさ、埃などの溜まりを防止することができる。
【００１４】
また、本発明の請求項３に記載の床暖房装置の床構造によれば、カバー部は幅木本体部の上端部に一体的に設けられ、室内壁から離れる方向に幾分下方に傾斜して延びているので、幅木本体部を挿入取付部材の取付凹部に挿入すると、カバー部の先端部が仕上げ床組体の表面に弾性的に圧接され、幅木と床暖房用床組体及び仕上げ床組体との間の隙間に埃などが侵入するを確実に防止することができる。
【００１５】
更に、本発明の請求項４に記載の床暖房装置の床構造によれば、挿入取付部材は挿入取付本体部及び弾性偏倚部を有し、弾性偏倚部が挿入取付本体部を幅木に向けて弾性的に偏倚するので、幅木と床暖房用床組体及び仕上げ床組体との間の隙間が幅木部材のカバー部によって確実に覆われ、隙間の見苦しさ、埃などの溜まりを一層確実に防止することができる。
【発明を実施するための最良の形態】
【００１６】
以下、図１〜図３を参照して、本発明に従う床暖房装置の床構造の一実施形態について説明する。図１は、本発明に従う床暖房装置の床構造の一実施形態の一部を示す部分断面図であり、図２は、図１の床暖房装置の床構造の一部を拡大して示す部分拡大断面図であり、図３は、変形形態の隙間隠し体の適用状態を示す部分拡大断面図である。
【００１７】
図１において、この実施形態の床暖房装置は、既存の床構造体２２の上側に設置されており、床構造体２２の上面に設置される床暖房用床組体２４及びこの床暖房用床組体２４の上面に設置される仕上げ床組体２６を備えている。既存の床構造体２２は、大引き２８、根太３０及びフローリング３２などから構成され、大引き２８の上側に間隔をおいて根太３０が設けられ、これら根太３０の上側にフローリング３２が設けられる。フローリング３２は湿気の吸収、放出によって伸縮するので、フローリング３２と住宅の室内壁３３との間に、この伸縮を許容するための隙間３６が設けられ、またこの隙間３６を隠すようにフローリング３２と室内壁３３との隅部に幅木３８が設けられている。このような既存の床構造体２２では、フローリング３２が床面となる。尚、フローリング３２の下側には、断熱材３４が配設される。
【００１８】
床暖房装置の床構造４０は、この床構造体２２の上側に、即ちフローリング３２の上側に設置される。既存の床構造体２２の上側に設置される床暖房用床組体２４は、加熱手段としての温水チューブ４２が内蔵された床暖房パネル４４と、加熱手段が配設されていないダミーパネル４６とから構成され、加温したい領域に床暖房パネル４４が配設され、加温不要の領域にダミーパネル４６が配設され、これら床暖房パネル４４及びダミーパネル４６が、既存の床構造体２２のフローリング３２の形状に合うように所要の通りに組み合わされてその上面の全域に配設される。この床暖房パネル４４の温水チューブ４２には熱源機（図示せず）からの温水が循環され、循環される温水の熱を利用して床面が暖房される。
【００１９】
また、床暖房用床組体２４の上側に配設される仕上げ床組体２６は、複数の仕上げ部材４８を床暖房用床組体２４の形状に合うように所要の通りに組み合わせて構成される。仕上げ部材４８は、木質建材（例えば、合板材）から形成され、床暖房装置の床構造４０を設置した状態においては、この仕上げ部材４８の表面が床面となる。
【００２０】
図１とともに図２を参照して、この床暖房装置の床構造４０においても、湿気の吸収、放出による伸縮を許容するために、既存の床構造体２２に設置する際に、既存の床構造体２２の幅木３８の内側と床構造４０の床暖房用床組体２４及び仕上げ床組体２６との間に隙間５０が存在している。そして、この床構造４０では、かかる隙間５０を隠すように、この隙間５０に隙間隠し体５２が配設されている。
【００２１】
この隙間隠し体５２は、幅木３８の内側と床暖房用床組体２４及び仕上げ床組体２６との間に挿入される挿入取付部材５４と、この挿入取付部材５４に装着される幅木部材５６とから構成されている。挿入取付部材５４は、細長い板状の挿入取付本体部５８を備え、この挿入取付本体部５８の上面には下方に延びる取付凹部５８が設けられ、この取付凹部５８はその一端から他端まで図２において紙面に垂直な方向に延びている。この挿入取付部材５４は弾性変形可能な弾性偏倚部６０を有し、弾性偏倚部６０は挿入取付本体部５８の下部から上方に向けて外側に湾曲乃至傾斜して延びている。このような挿入取付部材５４（挿入取付本体部５８及び弾性偏倚部６０）は、例えば合成樹脂の一体成形により形成することができる。
【００２２】
また、幅木部材５６は、プレート状の幅木本体部６２を有し、この幅木本体部６２の上端部にカバー部６４が一体的に設けられ、このカバー部６４の先端部は片側（図２において左側に延び、その他端部は他側（図２において右側）に幾分突出している。このカバー部６４は弾性変形可能で、その先端側は上記片側に向けて幾分下方に傾斜して延びているのが望ましい。このような幅木部材５６（幅木本体部６２及びカバー部６４）は、例えば合成樹脂の一体成形により形成することができる。
【００２３】
この隙間隠し体５２は、次の通りにして組み付けられる。この組付けは、まず、床暖房用床組体２４及び仕上げ床組体２６を取り付ける前に、挿入取付部材５４を幅木３８に取り付ける。そして、挿入取付部材５４を取り付けた後に、床暖房用床組体２４を組み付け、その上に仕上げ床組体２６を組み付ける。このように組み付けると、挿入取付部材５４の弾性偏倚部６０の先端部が床暖房用床組体２４及び／又は仕上げ床組体２６の側面に作用し、この弾性偏倚部６０が挿入取付本体部５８を図２において右方に幅木３８（室内壁３３）に向けて弾性的に偏倚し、挿入取付本体部５８は幅木３８の内側面に圧接保持される。この挿入取付部材５４は、例えば接着剤、テープ、ビス、釘などを用いて幅木３８の内面に固定するのが望ましい。
【００２４】
その後、挿入取付部材５４の取付凹５８に幅木部材５６の幅木本体部６２を挿入する。このように挿入すると、幅木部材５６のカバー部６４が幅木３８と床暖房用床組体２４及び仕上げ床組体２６との間の隙間５０を覆い、カバー部６４によってこの隙間５０を隠すことができ、隙間５０による見苦しさを解消することができる。また、このように装着した状態では、幅木部材５６のカバー部６４の先端部が仕上げ床組体２６の表面に弾性的に圧接され、このように弾性的に圧接状態に保つことによって、カバー部６４の先端部と仕上げ床組体２の表面との間を通して埃などが内部の隙間５０に侵入するのを防止することができる。この幅木部材５６の離脱を防止するために、挿入取付部材５４の取付凹部５８の内側面に係合凹部（又は係合凸部）を設けるとともに、幅木部材５６の幅木本体部６２の側面に係合凸部（又は係合凹部）を設け、係合凹部と係合凸部とを相互に係合するように構成するのが望ましい。
【００２５】
このように隙間隠し体５２を装着した状態において床暖房用床組体２４及び仕上げ床組体２６が湿気の吸収により伸張すると、挿入取付部材５４の弾性偏倚部６０が外側（図２において右側）に弾性変形し、また床暖房用床組体２４及び仕上げ床組体２６が湿気の放出により収縮すると、弾性変形した弾性偏倚部６０が内側（図２において左側）に復元し、床暖房用床組体２４及び仕上げ床組体２６の伸縮が挿入取付部材５４の弾性偏倚部６０の弾性変形によって上述したように吸収され、床暖房用床組体２４及び仕上げ床組体２６の伸縮が所望の通りに許容される。
【００２６】
上述した実施形態では、挿入取付本体部５８に弾性偏倚部６０を設けているが、弾性偏倚部６０を省略し、床暖房用床組体２４及び仕上げ床組体２６と挿入取付部材５４との間に隙間を持たせて施行するようにしてもよい。
【００２７】
次に、図３を参照して隙間隠し体の変形形態について説明する。尚、図３において、図１及び図２と実質上同一の部材には同一の参照番号を付し、その説明を省略する。
図３において、この変形形態では、隙間隠し体５２Ａの幅木部材８２は細長いプレート状部材から構成され、この幅木部材８２の中間部に切欠き８４が設けられ、この切欠き８４によって薄肉部８６が形成されている。この変形形態のその他の構成は、上述した実施形態と実質上同一である。
【００２８】
この幅木部材８２は、挿入取付部材５４の取付凹部５８に挿入され、かく挿入した状態にて、その薄肉部８６が室内の内側（図３において左側であって、室内壁３３から離隔する方向）に折曲されてカバー部８８が一体的に形成される。挿入隠し部材８２は、上述したと同様に、例えば接着剤などによって幅木３８の内側面に固定するのが望ましい。
【００２９】
挿入隠し部材８２を挿入して折曲した状態では、上述した実施形態と同様に、そのカバー部８８が幅木３８と床暖房用床組体２４及び仕上げ床組体２６との間の隙間５０を覆い、カバー部８８によってこの隙間５０を隠すことができ、隙間５０による見苦しさを解消することができる。尚、この変形形態においても、埃などの侵入を防止するために、折曲させたカバー部８８の先端部が仕上げ床組体２６の表面に圧接されるように構成するのが望ましい。
【００３０】
以上、本発明に従う床暖房装置の床構造の一実施形態について説明したが、本発明はかかる実施形態に限定されるものではなく、本発明の範囲を逸脱することなく種々の変形乃至修正が可能である。
【００３１】
例えば、上述した実施形態では、弾性偏倚部６０を挿入取付本体部５８の下部から上方に向けて設けているが、このような構成に限定されず、この弾性偏倚部６０を挿入取付本体部５８の上部から下部に向けて設けるようにしてもよく、また必ずしも湾曲乃至傾斜させる必要もない。
【００３２】
また、例えば、上述した実施形態では、床暖房パネルとして温水チューブを備えた温水利用の床暖房装置に適用して説明したが、このような形態のものに限定されず、床暖房パネルとして加熱ヒータを備えた電気利用の床暖房装置にも同様に適用することができる。
【図面の簡単な説明】
【００３３】
【図１】本発明に従う床暖房装置の床構造の一実施形態の一部を示す部分断面図。
【図２】図１の床暖房装置の床構造の一部を拡大して示す部分拡大断面図。
【図３】変形形態の隙間隠し体の適用状態を示す部分拡大断面図。
【図４】従来の床暖房装置の床構造の一部を示す断面図。
【符号の説明】
【００３４】
２２  床構造体
２４  床暖房用床組体
２６  仕上げ用床組体
３８  幅木
４０  床構造
４４  床暖房用パネル
４６  ダミーパネル
４８  仕上げ部材
５０  隙間
５２，５２Ａ  隙間隠し体
５４  挿入取付部材
５６，８２  幅木部材
６０  弾性偏倚部
６４，８８  カバー部
【図１】
2009264075.tif 000003
【図２】
2009264075.tif 000004
【図３】
2009264075.tif 000005
【図４】
2009264075.tif 000006